(57)【要約】【課題】指定された取り込み順に素材データを取り込むため、取り込み順序が連続していないと、同じ記録メディアを何度も装着又は指定し直す必要がある。【解決手段】取り込みキューに従って、素材データを取り込むデータ取込装置を、（ａ）素材データの取り込み元として指定された記録メディアの範囲で、取り込みキューで指定された取り込み順序とは無関係に、取り込み予定の素材ファイルを検索するファイル検索部と、（ｂ）取り込み予定の素材ファイルが存在する場合、該当する全ての素材ファイルを優先取り込み対象として操作画面上に明示的に表示する検索結果表示部とで構成する。【選択図】図４
2006254372.tif 000002
【特許請求の範囲】
【請求項１】
取り込みキューに従って、素材データを取り込むデータ取込装置であって、
素材データの取り込み元として指定された記録メディアの範囲で、取り込みキューで指定された取り込み順序とは無関係に、取り込み予定の素材ファイルを検索するファイル検索部と、
取り込み予定の素材ファイルが存在する場合、該当する全ての素材ファイルを優先取り込み対象として操作画面上に明示的に表示する検索結果表示部と
を有することを特徴とするデータ取込装置。
【請求項２】
請求項１に記載のデータ取込装置であって、
前記検索結果表示部は、優先取り込み対象とする素材ファイルの表示色を、他の素材ファイルの表示色とは異なる色に変更する
ことを特徴とするデータ取込装置。
【請求項３】
請求項１に記載のデータ取込装置であって、
前記検索結果表示部は、優先取り込み対象とする素材ファイルの表示輝度を、他の素材ファイルの表示輝度とは異なる輝度に変更する
ことを特徴とするデータ取込装置。
【請求項４】
請求項１に記載のデータ取込装置であって、
前記検索結果表示部は、優先取り込み対象の素材ファイルを取り込み順序の上位に並び替えて表示する
ことを特徴とするデータ取込装置。
【請求項５】
取り込みキューに従って、素材データを取り込むデータ取込装置であって、
素材データの取り込み元として指定された記録メディアの範囲で、取り込みキューで指定された取り込み順序とは無関係に、取り込み予定の素材ファイルを検索するファイル検索部と、
取り込み予定の素材ファイルが存在する場合、該当する全ての素材ファイルの取り込みを優先的に開始する取込実行部と
を有することを特徴とするデータ取込装置。
【請求項６】
取り込みキューに従って、素材データを取り込むデータ取込方法であって、
素材データの取り込み元として指定された記録メディアの範囲で、取り込みキューで指定された取り込み順序とは無関係に、取り込み予定の素材ファイルを検索する処理と、
取り込み予定の素材ファイルが存在する場合、該当する全ての素材ファイルを優先取り込み対象として操作画面上に明示的に表示する処理と
を有することを特徴とするデータ取込方法。
【請求項７】
取り込みキューに従って、素材データを取り込むデータ取込方法であって、
素材データの取り込み元として指定された記録メディアの範囲で、取り込みキューで指定された取り込み順序とは無関係に、取り込み予定の素材ファイルを検索する処理と、
取り込み予定の素材ファイルが存在する場合、該当する全ての素材ファイルの取り込みを優先的に開始する処理と
を有することを特徴とするデータ取込方法。
【請求項８】
コンピュータに、
素材データの取り込み元として指定された記録メディアの範囲で、取り込みキューで指定された取り込み順序とは無関係に、取り込み予定の素材ファイルを検索する処理と、
取り込み予定の素材ファイルが存在する場合、該当する全ての素材ファイルを優先取り込み対象として操作画面上に明示的に表示する処理と
を実行させ、取り込みキューに従って、素材データを取り込むデータ取込装置として機能させることを特徴とするプログラム。
【請求項９】
コンピュータに、
素材データの取り込み元として指定された記録メディアの範囲で、取り込みキューで指定された取り込み順序とは無関係に、取り込み予定の素材ファイルを検索する処理と、
取り込み予定の素材ファイルが存在する場合、該当する全ての素材ファイルの取り込みを優先的に開始する処理と
を実行させ、取り込みキューに従って、素材データを取り込むデータ取込装置として機能させることを特徴とするプログラム。
【発明の詳細な説明】
【技術分野】
【０００１】
発明の一つの形態は、取り込みキューに従って、素材データを取り込むデータ取込装置に関する。また、発明の一つの形態は、データ取込装置又は同装置としての機能を実現する装置で実行されるデータ取込方法に関する。また、発明の一つの形態は、コンピュータをデータ取込装置として機能させるプログラムに関する。
【背景技術】
【０００２】
まず、この明細書で使用する用語を説明する。
ノンリニア編集とは、ランダムアクセス可能な記録メディアに素材データを取り込み、編集作業を進める手法をいう。
通常、取り込み先となる記録メディアには、ハードディスクと呼ばれる磁気記録メディアが用いられる。もっとも、これは現時点の商品形態による。
一方、取り込み元となる記録メディアは様々であり、例えばハードディスク、半導体記憶装置、光学式記憶メディアその他が用いられている。
取り込み元として指定する記録メディアの単位は、個々の記録メディア又は特定のデータフォルダとする。
【０００３】
素材データは、動画像データ、静止画像データ、音源データ、テキストデータ、アニメーションデータ又はこれらの組み合わせをいう。これらの複合データを、マルチメディアデータともいう。
なお、記録メディアや素材データには、物理デバイスや素材を一意に特定する識別符号が付されている。かかる識別符号を、ＵＭＩＤ（Unique Material Identifier ）という。この明細書では、記録メディア（物理デバイス）用のＵＭＩＤをデバイスＵＭＩＤ、素材用のＵＭＩＤを素材ＵＭＩＤという。
編集作業では、いずれかの段階で最終的に出力する素材データを取り込む必要がある。ところで、最近の素材データは、データ量が非常に大きい。このため、一般には、低品質（低解像度）の素材データを用いて編集作業を実行し、最終出力用には高品質（高解像度）の素材データを編集結果に従って取り込む手順が採用されている。
【特許文献１】特開２００４−３６４０８１号公報
【発明の開示】
【発明が解決しようとする課題】
【０００４】
通常、素材データの取り込みは、素材データの名前順や編集リストの再生順に行われる。ここで、編集リストは、クリップの再生順序を記述したリストをいう。クリップは、プログラムを構成する素材データをいう。
しかし、多くの場合、取り込み対象とする素材データは、幾つかの記録メディアに分散する場合が多い。
このため、編集作業者は、１つの素材データの取り込みが終わるたび、次の素材データを含む記録メディアを探し出し、再生装置に装着し直す必要があった。
例えば、記録メディアが可搬型の記録メディアの場合には、再生装置に別の記録メディアを装着する必要がある。また例えば、記録メディアがデータフォルダとして指定されている場合には、他のデータフォルダを指定し直す必要がある。
【０００５】
いずれの場合にも、非常に多数の対象の中から適切な記録メディアを探し出す作業が必要であった。また、探し出した記録メディアを再生装置に装着する作業や探し出したデータフォルダを指定し直す作業が頻繁に発生する。この作業は煩雑であり、大量の素材データを扱う場合には、その作業負担が過大であった。
また、従来の作業手法では、指定された取り込み順に素材データを取り込むため、取り込み順序が連続していないと、同じ記録メディアを何度も装着又は指定し直す必要があった。しかし、この作業は、作業負荷を増大させる問題がある。
【課題を解決するための手段】
【０００６】
発明者らは以上の課題に着目し、素材データを効率的に取り込むことができる技術手法を提案する。
かかる技術手法の一つとして、発明者らは、以下の処理機能を有する方法を提案する。
（１）素材データの取り込み元として指定された記録メディアの範囲で、取り込みキューで指定された取り込み順序とは無関係に、取り込み予定の素材ファイルを検索する処理
（２）取り込み予定の素材ファイルが存在する場合、該当する全ての素材ファイルを優先取り込み対象として操作画面上に明示的に表示する処理
【０００７】
また、発明者らは、以下の処理機能を有する方法を提案する。
（１）素材データの取り込み元として指定された記録メディアの範囲内に、取り込みキューで指定された取り込み順序とは無関係に、取り込み予定の素材ファイルを検索する処理
（２）取り込み予定の素材ファイルが存在する場合、該当する全ての素材ファイルの取り込みを優先的に開始する処理
なお、これらの技術手法は、ハードウェアとして実現できる他、ソフトウェアとしても実現できる。勿論、処理の実行は、一部処理をハードウェアとして実行し、残る処理をソフトウェアとして実行することもできる。
【発明の効果】
【０００８】
この技術手法を用いれば、現に指定されている記録メディアの範囲内にある取り込み予定の素材データを優先的に取り込むことが可能になる。
例えば、取り込み予定の素材データが複数含まれていれば、取り込みキューで指定された取り込み順序とは無関係に、これらの素材データを連続的に取り込むことができる。
この結果、記録メディアの交換作業や指定作業の回数を削減することができる。
【発明を実施するための最良の形態】
【０００９】
以下、発明に係る技術手法を採用するノンリニア編集システムの形態例を説明する。
なお、本明細書で特に図示又は記載されない部分には、当該技術分野の周知又は公知技術を適用する。
また以下に説明する実施形態は、発明の一つの実施形態であって、これらに限定されるものではない。
【００１０】
（Ａ）ノンリニア編集システム
図１に、ノンリニア編集システムの構成例を示す。
図１に示すノンリニア編集システム１は、ノンリニア編集機３、ネットワークスイッチ５、大容量ストレージ７、データ録再装置９で構成する。各装置は、単数でも複数でも良い。
ノンリニア編集機３は、素材データの取り込み、編集、出力の各処理をディジタルデータ形式で実行するデータ処理装置である。
ノンリニア編集機３は、ＦＴＰ（File
Transfer Protocol）、ＩＥＥＥ１３９４、ＳＣＳＩ（Small Computer System Interface ）、ＵＳＢ（Universal
Serial Bus）等の各種の通信方式に対応する。勿論、全ての通信方式に対応する必要はない。この形態例の場合、ネットワーク上の通信は、ＴＣＰ／ＩＰ（Transmission
Control Protocol/Internet Protocol）により行う。
【００１１】
ネットワークスイッチ５は、ノンリニア編集機３と大容量ストレージ７とをネットワーク経由で接続する相互接続装置である。
例えば、ギガビットスイッチで構成する。
大容量ストレージ７は、ＮＡＳ（Network Attached Storage）と呼ばれるストレージデバイスで構成される。すなわち、大容量ストレージ７は、ハードディスクと、ネットワークインターフェイスと、基本ソフトウェアと、管理用ユーティリティとを一体化した単機能サーバで構成される。
【００１２】
大容量ストレージ７には、各素材データの編集に必要な最低限のメタデータや低解像度データが記憶されている。また、大容量ストレージ７には、素材データの編集リストデータも記憶されている。これらデータの複製作業や編集リストの作成作業は、図示していないアプリケーションソフトウェア上で実行される。なお、１つのフォルダのデータサイズは、最大でも１つの可搬型の記録メディアのデータサイズに限られる。
データ録再装置９は、素材データの記録機能と再生機能を有するデータ処理装置である。図１の場合、データ録再装置９は、ノンリニア編集機３に対して直接接続されているが、ネットワークスイッチ５を経由して接続することもできる。データ録再装置９は、可搬型の記録メディアから素材データを再生する機能と、同記録メディアに素材データを記録する機能とを提供するものとする。
【００１３】
（Ｂ）記録メディアのデータファイル例
図２に、記録メディアに格納するデータファイル例を示す。これらのデータファイルは、編集作業に必要な素材データや付属データである。
インデックスファイルは、テキスト、画像その他の検索用の情報を格納する素材データの付属データである。
メタデータファイルは、構造メタデータや記述メタデータを格納する素材データの付属データである。
低解像度ファイルは、素材データの付属データである。低解像度ファイルは、そのデータサイズが比較的小さいことが特徴である。従って、高速伝送やパーソナルコンピュータベースのノンリニア編集機による編集も可能である。
【００１４】
編集リストファイルは、低解像度ファイルを用いたオフライン編集の結果を格納したデータファイルである。
例えば、ＳＭＩＬ（Synchronized Multimedia Integration Language）で記述されたＳＭＩファイルを使用する。ＳＭＩファイルには、動画、音源、テキスト等の異なるメディアデータの表示位置や再生タイミングが記述される。
フル解像度ファイルは、素材データである。フル解像度ファイルは、素材が有する情報を高品質のまま保持する一方で、データサイズが大きい。従って、高速伝送やパーソナルコンピュータベースのノンリニア編集機による編集には適していない。
【００１５】
（Ｂ）ノンリニア編集機
素材データの取り込みに使用するノンリニア編集機３のハードウェア構成と機能構成を説明する。
図３に、ノンリニア編集機３のハードウェア構成例を示す。ノンリニア編集機３は、いわゆるコンピュータベースで構成する。すなわち、ノンリニア編集機３は、ＣＰＵ１１と、ハードディスク１３と、モニタ１５と、入出力インタフェース１７とで構成する。
一般に、ＣＰＵ１１には演算能力の高いものが用いられる。ノンリニア編集機３の処理機能は、ＣＰＵ１１上で実行される基本ソフトウェアやアプリケーションソフトウェアを通じて実現される。
【００１６】
ハードディスク１３は、編集作業に必要な素材データや付属データの作業領域として使用される。
モニタ１５は、グラフィカルユーザーインターフェースを表示するための表示デバイスである。表示デバイスの種類は問わない。また、モニタ１５がノンリニア編集機３の筐体と一体に配置されている必要はなく、独立した装置として外部接続されたものでも良い。
入出力インタフェース１７は、ネットワークとの接続用や周辺機器との接続用に各種の端子を搭載する。
【００１７】
図４に、データ取り込み機能に着目したノンリニア編集機３の機能構成例を示す。ノンリニア編集機３は、取り込みキュー記憶部２１と、取り込みファイル検索部２３と、検索結果表示部２５と、取り込み実行部２７とで構成される。
これらの機能は、バッチ取り込み機能の実行が編集作業者より指示された場合に実行される。
取り込みキュー記憶部２１は、ノンリニア編集システム内に取り込まれていない素材ファイル（フル解像度ファイル）の取り込み順序を指定するキューを記憶する記憶領域である。取り込みキュー記憶部２１は、ハードディスク１３上の領域の一部に確保される。
【００１８】
取り込みキューは、編集リストやログクリップに基づいて生成される。例えば、取り込みキューは、編集リストに記述されたクリップ（素材データ）のうち取り込まれていないものだけを再生順に抜き出して生成する。
また例えば、取り込みキューは、編集リストに記述されたクリップ（素材データ）のうち取り込まれていないものだけをファイル名の順番に抜き出して生成する。
また例えば、取り込みキューは、編集作業者がログクリップを指定した順番に生成する。ここで、ログクリップとは、メタデータ（ＵＭＩＤを含む。）だけを反映し、再生に必要なフル解像度ファイルが取り込まれていない状態のクリップをいう。
取り込みファイル検索部２３は、取り込みキューで指定された素材データを指定された記録メディアの範囲内で検索する機能を提供する。検索には、記録メディアに固有のデバイスＵＭＩＤと素材データに固有の素材ＵＭＩＤを登録したデータベースを使用する。
取り込みファイル検索部２３は、データベースと取り込み対象の素材ＵＭＩＤとを照合し、検索効率を高めている。素材ＵＭＩＤには、素材データの格納場所を示すデバイスＵＭＩＤも含まれている。
【００１９】
検索結果表示部２５は、取り込みファイル検索部２３の検索結果をモニタ１５に表示する機能を提供する。
検索の結果、検索対象とする素材データが存在した場合には、対象とする素材データ（クリップ）の表示態様を取り込み中に対応する表示態様に変更する。
また、検索の結果、検索対象とする素材データが存在しなかった場合には、その旨を表示すると共に検索範囲を規定する記録メディアの指定を確認するメッセージを表示する。
なお、新たに指定した記録メディアに検索対象とする素材データが含まれる場合、同じ記録メディアに存在する取り込み予定の他の素材データ全てを明示的な態様で表示する。この形態例では、既に取り込み済みの素材データ（クリップ）や取り込み中の素材データ（クリップ）とは、異なる表示色で表示する。
取り込み実行部２７は、検索の結果発見された素材データ（クリップ）のフル解像度ファイルを指定された記録メディアからハードディスク１３に取り込む機能を提供する。
【００２０】
（Ｄ）取込作業画面
図５に、取込作業で使用する一連の画面を示す。なお、大容量ストレージ７には、データ量の小さい低解像度データを用いて生成されたＳＭＩファイルが保存されているものとする。
まず、編集作業者は、モニタ１５の画面上にＳＭＩファイル取り込み画面３１を表示する。この画面上で、編集作業者は、取り込み対象とするＳＭＩファイルを選択する。選択されたＳＭＩファイルは大容量ストレージ７からハードディスク１３に取り込まれる。取り込まれたＳＭＩファイルはＣＰＵ１１で解釈される。解釈の結果、オンライン編集用の編集リストとログクリップが生成される。
生成された編集リストとログクリップは、編集リスト／ログクリップ表示画面３３上に表示される。
【００２１】
この画面上で、編集作業者が編集リストの取り込みやログクリップの取り込みを指示すると、モニタ１５の画面上にはバッチ取込画面３５が表示される。
ここで、編集リストが取り込み対象に指定された場合、編集リストのうちフル解像度ファイルが取り込まれていないクリップだけを抜き出した取り込みキューが生成される。この場合、取り込みキューの取り込み順序は編集リストの再生順に決定される。
一方、ログクリップが取り込み対象に指定された場合、ログクリップの指定順を取り込み順とする取り込みキューが生成される。
【００２２】
バッチ取込画面３５の表示中に、取り込みキューで指定されたクリップの取り込みが実行される。なお、指定されたクリップのフル解像度ファイルが見つからない場合、記録メディア検索画面３７がモニタ１５に表示される。
記録メディア検索画面３７で正しい可搬型の記録メディアが装着されると、又は正しいフォルダが指定されると、フル解像度ファイルの取り込みを実行する。
取り込みキューで指定された全てのクリップの取り込みが完了するまで、バッチ取込画面３５と記録メディア検索画面３７が繰り返しモニタ１５の画面上に表示される。
取り込みキューで指定された全てのクリップの取り込みが完了すると、編集リストを構成する全てのクリップについてオンライン編集が可能な状態になる。
【００２３】
（Ｅ）バッチ取込処理
図６及び図７に、バッチ取込画面３５及び記録メディア検索画面３７で実行されるバッチ取込処理の手順を示す。
まず、ノンリニア編集機３は、生成された取り込みキューをモニタ画面上に表示する（Ｐ１）。少なくとも取り込み予定のクリップ名とそのフル解像度ファイルを含む記録メディア名が表示される。図８に、表示例を示す。この他、クリップに関する付属情報も表示される。図８は、付属情報として、ソース、マークイン、コーデックが表示されている。
【００２４】
図８の場合、取り込みキューには１１個のクリップが登録されている。モニタ画面には、取り込み順序の早い方から順番にクリップが表示されている。
図８の場合、取り込みキューを構成するクリップは３つのディスクに分散することが分かる。例えば、ディスク１には、クリップ１、３、４、７が含まれる。また、ディスク２には、クリップ２、６、８、９が含まれる。また、ディスク３には、クリップ５、１０、１１が含まれる。
次に、ノンリニア編集機３は、取り込み対象として先頭位置のクリップを特定する（Ｐ２）。
図９に、先頭位置のクリップが取り込み対象に選択された状態を示す。図９では、クリップ１の背景が他のクリップとは異なる態様に変更されている。例えば、ハイライト表示される。これにより、クリップ１の選択状態が分かる。
【００２５】
この後、ノンリニア編集機３は、クリップ１を特定する素材ＵＭＩＤをデータベースと照合する（Ｐ３）。
データベースには、ノンリニア編集機３が管理するディスクのデバイスＵＭＩＤと、各ディスクに含まれる素材データを特定する素材ＵＭＩＤと、これらのＵＭＩＤを取得したオリジナルの場所とが管理されている。
素材データが見つかった場合（Ｐ４で肯定結果が得られた場合）、ノンリニア編集機３は、ＵＭＩＤが解決したと判断する。
ここで、ＵＭＩＤが「解決」するとは、次の３つの条件を満たすことをいう。
・素材ＵＭＩＤがデータベース内に存在する
・素材データが存在するディスクにアクセスできる
・素材データにアクセスでき、取り込み可能である
【００２６】
ここでは、データ録再装置９にディスク１が装着されているものとする。この場合、ノンリニア編集機３は、素材データの取り込みを継続すると共に取り込みが完了したか否かを判定する（Ｐ５）。
素材データの取り込みが失敗した場合（否定結果が得られた場合）、ノンリニア編集機３は、モニタ画面上にエラーメッセージを表示する（Ｐ６）。
素材データの取り込みが成功した場合（肯定結果が得られた場合）、ノンリニア編集機３は、次の素材があるか否か判定する（Ｐ７）。
ここでは、最初のクリップ１の取り込みが終了した段階であるので、ノンリニア編集機３は、次のクリップ２の取り込みに移る。
【００２７】
図１０に、最初のクリップ１の取り込みが終了した段階の画面例を示す。図１０に示すように、取り込みが完了したクリップ１の背景はグレーアウト表示に変化する。同時に、取り込みが完了していないクリップのうち先頭に位置するクリップ２の背景がハイライト表示される（Ｐ１、Ｐ２）。
同様に、ノンリニア編集機３は、クリップ２を特定する素材ＵＭＩＤをデータベースと照合する（Ｐ３）。ここで、クリップ２は、ディスク２に存在する。しかし、データ録再装置９には、ディスク１が装着されており、ディスク２にはアクセスすることができない。
従って、ノンリニア編集機３は、クリップ２のフル解像度ファイルは見つからないと判断する。
【００２８】
この場合（Ｐ４で否定結果が得られた場合）、ノンリニア編集機３は、記録メディア検索画面をモニタ画面に表示する（Ｐ８）。
ここで、編集作業者は、探索範囲とする記録メディアを指定する。例えば、ディスク２を探し出してデータ録再装置９に装着し、そのディスク２を探索範囲に指定する。
なお、編集作業者は、この時点で取り込み作業を終了することもできる（Ｐ９）。
新たな探索範囲としてディスク２が指定されると、ノンリニア編集機３は、素材ＵＭＩＤとデータベースを更新する（Ｐ１０）。
このとき、データ録再装置９に装着されたディスクがデータベースに未登録のディスクであった場合、ノンリニア編集機３は、新たに検出されたデバイスＵＭＩＤ、素材ＵＭＩＤその他をデータベースに登録する。
一方、データベースに登録済みのディスクの場合、ディスクに含まれる素材ＵＭＩＤの情報を更新する。
【００２９】
ノンリニア編集機３は、クリップ２の素材ＵＭＩＤを更新後のデータベースと照合する。データ録再装置９に装着されたのがディスク２であればＵＭＩＤは解決し、装着されたのが他のディスクであればＵＭＩＤは解決しない（Ｐ１１）。ＵＭＩＤが未解決の間は、記録メディア検索画面に戻る。
ここでは、ディスク２が装着されたものとする。この場合、ノンリニア編集機３は、ＵＭＩＤは解決する。同時に、ノンリニア編集機３は、取り込み予定の他の素材ＵＭＩＤとデータベースを照合し、解決できるクリップ（素材ＵＭＩＤ）が他に存在しないか検出する。すなわち、ディスク２に格納されたクリップのうち取り込みキューに含まれるものを検出する。
この後、ノンリニア編集機３は、ＵＭＩＤが解決した全てのクリップの取り込みを優先的に開始できるように取り込みキュー内の優先順位を上げる（Ｐ１３）。すなわち、取り込みキュー内の順位を上げる。
【００３０】
図１１に、並び替え後のモニタ画面例を示す。ディスク２に存在した４つのクリップが上位に移動している。なお、図１１では、同一のディスクから取り込み可能な４つのクリップを明示的に示している。すなわち、クリップ２、６、８、９の背景が他のクリップとは異なる態様に変更されている。例えば、取り込み対象に選択された状態を示すハイライト表示とは別のハイライト表示に変更する。
この表示を確認した編集作業者は、ディスク２に取り込み対象とする４つのクリップが含まれることを容易に確認できる。同時に、ディスク２に関するだけでも入れ替え回数を最大３回省略できることが分かる。この形態例の場合、ディスク２に関する入れ替え回数を２回省略できる。
この後、ノンリニア編集機３は、取り込みキューに記述された未取り込みクリップのうち最上位のクリップ２を取り込み対象として取り込み動作を再開する。図１２に、クリップ２が取り込み対象に選択された状態でのモニタ画面を示す。
以上の動作は、取り込みキュー内に未取り込みクリップが存在しなくなるまで繰り返し実行される。
【００３１】
（Ｆ）形態例に係る取り込み手法の効果
形態例に係る取り込み手法を採用すれば、ディスクの入れ替え回数を格段に低減できる。結果的に、オフライン編集からオンライン編集への移行時間を大幅に短縮できる。
また、ディスクの入れ替えるだけで、取り込み順序が自動的に変更されるため、編集作業者の操作負担も軽減できる。同時に、取り込み順序の変更に伴い、表示態様も自動的に変更され、クリップの並び順序の変更を容易に確認できる。
【００３２】
（Ｇ）他の形態例
（ａ）前述の形態例では、優先取り込み対象とするクリップの背景輝度を、他のクリップの背景輝度とは異なる輝度に変更する場合について説明した。
しかし、優先取り込み対象とするクリップの表示色を、他のクリップの背景色とは異なる色に変更する手法を採用しても良い。この場合、様々な色を使用できるため、態様の変化を確認し易くできる。勿論、背景色の変化と背景輝度の変化を組み合わせても良い。
【００３３】
（ｂ）前述の形態例では、優先取り込み対象とするクリップを取り込み順序の上位に並び替えて表示する場合について説明した。
しかし、優先取り込み対象として検出されたクリップの表示態様の変更だけで、モニタ画面上での表示位置を並び替えない方法を採用しても良い。
図１３に、この場合の表示例を示す。図１３の場合、クリップの並びは当初の並びのままであるが、ＵＭＩＤが解決したクリップ２と同じディスクに存在する他のクリップの表示態様が変更されている。
【００３４】
（ｃ）前述の形態例では、ＵＭＩＤが解決したクリップ２と同じディスクに存在する他のクリップの存在を表示態様を変更して示した後、優先的な取り込み動作を開始した。
しかし、取り込み予定の素材ファイルが存在する場合、これらの表示を行うことなく、該当する全ての素材ファイルの取り込みを優先的に開始する手法を採用しても良い。
【００３５】
（ｄ）前述の形態例では、ディスクの入れ替えによりＵＭＩＤが解決した場合に、同じディスクに存在する他の取り込み対象クリップを検索する場合について説明した。
しかし、ディスクの入れ替えが無い場合には、現に挿入されているディスクに存在するクリップであって、未だ取り込まれていない他のクリップを検索する手法を採用しても良い。
例えば、クリップ２の取り込み時に、ディスク１が装着されている場合に、記録メディア検索画面でディスク１をそのまま検索範囲に指定した場合には、ディスク１内に存在する他の取り込み対象クリップを全て検索する手法を実行する手法を採用しても良い。
この場合、ディスク１をディスク２に入れ替えなくても、ディスク１にある他の取り込み予定クリップ３、４、７の取り込みを優先的に開始できる。従って、更に１回分の入れ替え作業を削減できる。
【００３６】
（ｅ）前述の形態例では、フル解像度ファイルがリムーバブルディスクに格納されている場合について説明した。
しかし、記録メディアは、リムーバブルディスクに限らず、カード型の半導体記憶装置でも良いし、大容量ストレージ７内の特定のフォルダでも良い。
（ｆ）前述の形態例では、取り込みキューを構成するクリップの検索にＵＭＩＤを使用した。
しかし、ディスクのタイトル名や素材のタイトル名を使用して検索処理を実行しても良い。
【００３７】
（ｇ）前述の形態例では、取り込み対象とする素材データをフル解像度ファイルとする場合について説明した。
しかし、取り込み対象とする素材データは、フル解像度ファイルに限らない。すなわち、形態例に係るデータ取込装置は、任意の素材データの取り込み使用できる。
従って、データ取り込み装置は、ノンリニア編集装置３として実現する場合だけでなく、様々な商品形態を採り得る。
例えば、単独の商品形態を採っても良いし、他のデータ処理装置で実現しても良い。
また例えば、ビデオカメラ、デジタルカメラその他の撮像装置、情報処理端末（携帯型のコンピュータ、携帯電話機、携帯型のゲーム機、電子手帳等）、ゲーム機としも実現できる。
【００３８】
（ｈ）前述の形態例では、ＵＭＩＤが解決しない場合に、検索対象のクリップに加えて取り込み予定の他のクリップも検索する場合について説明した。
しかし、処理Ｐ４でＵＭＩＤが解決した時点で、同じディスク内に存在する他の取り込み対象クリップの存在を確認し、取り込み順序の並び替えを実行しても良い。
（ｉ）前述の形態例では、データ取込装置としての機能をソフトウェア処理として実現する場合について説明した。
しかし、ハードウェア処理として実現しても良い。
また、データ取込装置としての全機能をハードウェアとして、又はソフトウェアとして実現するだけでなく、その一部はハードウェア又はソフトウェアを用いて実現しても良い。すなわち、ハードウェアとソフトウェアの組み合わせ構成としても良い。
（ｊ）前述の形態例には、発明の趣旨の範囲内で様々な変形例が考えられる。また、本明細書の記載に基づいて創作される各種の変形例及び応用例も考えられる。
【図面の簡単な説明】
【００３９】
【図１】ノンリニア編集システムの構成例を示す図である。
【図２】記録メディアに格納するデータファイル例を示す図である。
【図３】ノンリニア編集機のハードウェア構成例を示す図である。
【図４】ノンリニア編集機の機能構成例を示す図である。
【図５】取込作業画面の遷移を示す図である。
【図６】バッチ取込処理手順を示すフローチャートである。
【図７】バッチ取込処理手順を示すフローチャートである。
【図８】バッチ取り込み開始時の初期画面例である。
【図９】先頭位置のクリップが取り込み対象に選択された状態を示す画面例である。
【図１０】最初のクリップ１の取り込みが終了した段階の画面例である。
【図１１】取り込み順序の並び替え後の画面例である。
【図１２】並び替え後に取り込み対象のクリップが選択された状態を示す画面例である。
【図１３】ＵＭＩＤが解決したクリップと同じディスクに存在する他のクリップの表示態様を変更して表示した状態を示す図である。
【符号の説明】
【００４０】
１      ノンリニア編集システム
３      ノンリニア編集機
５      ネットワークスイッチ
７      大容量ストレージ
９      データ録再装置
２１    取り込みキュー記憶部
２３    取り込みファイル検索部
２５    検索結果表示部
２７    取り込み実行部
【図１】
2006254372.tif 000003
【図２】
2006254372.tif 000004
【図３】
2006254372.tif 000005
【図４】
2006254372.tif 000006
【図５】
2006254372.tif 000007
【図６】
2006254372.tif 000008
【図７】
2006254372.tif 000009
【図８】
2006254372.tif 000010
【図９】
2006254372.tif 000011
【図１０】
2006254372.tif 000012
【図１１】
2006254372.tif 000013
【図１２】
2006254372.tif 000014
【図１３】
2006254372.tif 000015